(57)【要約】【課題】バイザ本体にミラーユニットを強く保持し得る車両用サンバイザのアクセサリー取付構造を提供する。【解決手段】取付構造は、バイザ本体２側に設けられる板状のブラケット３と、ブラケット３の裏面に配設される取付部材５と、ブラケット３の表面に配設されるミラーユニット４の表側に配設される螺合部材６とを有している。そして取付部材５には、ブラケット３とミラーユニット４を貫通し、かつ螺合部材６と螺合される軸部５ｂが設けられており、取付部材５と螺合部材６によってミラーユニット４をブラケット３側に挟んで取付ける構成になっている。【選択図】図８
2008284906.tif 000002
【特許請求の範囲】
【請求項１】
車両用サンバイザのバイザ本体にアクセサリーを取付けるための車両用サンバイザのアクセサリー取付構造であって、
前記バイザ本体側に設けられる板状のブラケットと、
前記ブラケットの裏面に配設される取付部材と、
前記ブラケットの表面に配設される前記アクセサリーの表側に配設される螺合部材とを有し、
前記取付部材と前記螺合部材の両部材の少なくとも一方の部材には、前記ブラケットと前記アクセサリーを貫通し、かつ他方の部材と螺合される軸部が設けられており、前記取付部材と前記螺合部材によって前記アクセサリーを前記ブラケット側に挟んで取付ける構成になっていることを特徴とする車両用サンバイザのアクセサリー取付構造。
【請求項２】
請求項１に記載の車両用サンバイザのアクセサリー取付構造であって、
ブラケットには、弾性変形して取付部材をブラケットの裏側に保持する弾性爪が形成されていることを特徴とする車両用サンバイザのアクセサリー取付構造。
【請求項３】
請求項２に記載の車両用サンバイザのアクセサリー取付構造であって、
ブラケットには、取付部材の本体部の裏面に張出して前記取付部材が前記ブラケットから脱落することを防止する保持部と、片持ち梁状の弾性爪が形成されており、
前記取付部材の本体部によって前記弾性爪を前記ブラケットの厚み方向に弾性変形させ、前記取付部材を前記取付部材側に形成した前記軸部を中心に回転させ、これによって前記本体部が前記保持部の表側に挿入されるとともに、前記弾性爪が弾性戻りして前記本体部の側部に張出して、前記弾性爪が前記本体部の回転を防止する構成になっていることを特徴とする車両用サンバイザのアクセサリー取付構造。
【発明の詳細な説明】
【技術分野】
【０００１】
本発明は、車両用サンバイザのバイザ本体にランプユニット、ミラーユニット、カードホルダーなどのアクセサリーを取付けるための車両用サンバイザのアクセサリー取付構造に関する。
【背景技術】
【０００２】
従来、バイザ本体にミラーユニットなどのアクセサリーが取付けられる車両用サンバイザが知られている。アクセサリーをバイザ本体に取付ける取付構造は、例えばバイザ本体の外周縁に沿ってバイザ本体に内設されたフレームと、そのフレームに取付けられた一対の金属板のブラケットとを有し、そのブラケットにアクセサリーがねじによって取付けられる（特許文献１参照）。しかし近年、アクセサリーがエアバッグの膨張時による外力等を受けてもアクセサリーがバイザ本体側から脱落しない取付構造が望まれている。
【特許文献１】特開２００１−６３５１２号公報
【発明の開示】
【発明が解決しようとする課題】
【０００３】
そこで本発明は、バイザ本体にアクセサリーを強く保持し得る車両用サンバイザのアクセサリー取付構造を提供することを課題とする。
【課題を解決するための手段】
【０００４】
前記課題を解決するために本発明は、各請求項に記載の通りの構成を備える車両用サンバイザのアクセサリー取付構造であることを特徴とする。すなわち請求項１に記載の発明によると、バイザ本体側に設けられる板状のブラケットと、ブラケットの裏面に配設される取付部材と、ブラケットの表面に配設されるアクセサリーの表側に配設される螺合部材とを有している。そして取付部材と螺合部材の両部材の少なくとも一方の部材には、ブラケットとアクセサリーを貫通し、かつ他方の部材と螺合する軸部が設けられており、取付部材と螺合部材によってアクセサリーをブラケット側に挟んで取付ける構成になっている。
【０００５】
したがってアクセサリーは、取付部材と螺合部材によってブラケットに取付けられる。そしてアクセサリーは、ブラケットの裏面に設置された取付部材によって、ブラケットに対して脱落することが防止される。かくしてアクセサリーがバイザ本体に強く保持され得る。なお軸部は、外周面に雄ねじ部を有し雄ねじ部に他方の部材が螺合される形態、内周面に雌ねじ部を有し雌ねじ部に他方の部材が螺合される形態であっても良い。
【０００６】
請求項２に記載の発明によると、ブラケットには、弾性変形して取付部材をブラケットの裏側に保持する弾性爪が形成されている。したがって取付部材は、弾性爪によってブラケットに対して容易に取付けられ得る。
【０００７】
請求項３に記載の発明によると、ブラケットには、取付部材の本体部の裏面に張出して取付部材がブラケットから脱落することを防止する保持部と、片持ち梁状の弾性爪が形成されている。そして取付部材の本体部によって弾性爪をブラケットの厚み方向に弾性変形させ、取付部材を取付部材側に形成した軸部を中心に回転させ、これによって本体部が保持部の表側に挿入される。そして弾性爪が弾性戻りして本体部の側部に張出して、弾性爪が本体部の回転を防止する構成になっている。
【０００８】
したがって弾性爪は、厚み方向に弾性変形する。そして弾性爪は、弾性戻りして本体部の側部に位置することで本体部の回転を防止する。そのため弾性爪の弾性変形方向と、本体部の回転防止方向は、ほぼ直交している。そのため本体部の回転は、弾性爪の弾性変形によらずに弾性爪によって確実に防止され得る。しかも弾性爪の弾性率に関係なく、本体部の回転を規制し得るために、弾性爪の弾性率を小さくすることが可能である。そのため弾性率を小さくすることで取付部材のブラケットへの組付け荷重を軽減することもできる。
【発明を実施するための最良の形態】
【０００９】
（実施の形態１）
実施の形態１を図１〜８にしたがって説明する。車両用サンバイザ１は、図１に示すようにバイザ本体２とミラーユニット４を有している。ミラーユニット４をバイザ本体２に取付ける取付構造は、図１，８に示すようにバイザ本体２に設けられるブラケット３と、ブラケット３に取付けられる取付部材（ナット部材）５と、取付部材５に螺合される螺合部材（ねじ）６とを有している。
【００１０】
バイザ本体２は、図１に示すように樹脂製の板体２ａと、板体２ａを覆う表皮材２ｂを有している。そして板体２ａの略中央にブラケット３が取付けられ、ブラケット３にミラーユニット４が取付けられている。
【００１１】
ミラーユニット４は、図１に示すようにユニット本体４ａとミラー４ｂと蓋４ｃを有している。ミラー４ｂは、ユニット本体４ａの裏面に固定され、ユニット本体４ａに形成された開口窓によって鏡面が露出される。蓋４ｃは、ユニット本体４ａの上端部に傾動可能に取付けられて、ミラー４ｂの鏡面を開閉する。ユニット本体４ａの一端部には、ブラケット３の一端部に形成された掛止部３ｅに係止される係止爪４ｄが形成されている。そしてユニット本体４ａの他端部は、螺合部材（ねじ）６によってブラケット３に取付けられる。
【００１２】
ブラケット３は、図２に示すように樹脂製の板状であって、ブラケット３を金型へインサートした後、樹脂発泡ビーズによって一体成形することによって、ブラケット本体３ａの一端部３ｂと他端部３ｃがバイザ本体２に埋設されるとともに、バイザ本体２の中央に凹部２ｅが形成される。
【００１３】
取付部材５は、金属製であって、図２，３に示すように本体部５ａと軸部５ｂを一体に有している。本体部５ａは、板状であってブラケット３の裏面に配設される。軸部５ｂは、ブラケット３に形成された軸孔３ｄに挿通されて、ブラケット３を厚み方向に貫通し、先端部がブラケット３の表側に突出する（図８参照）。軸部５ｂの内周面には、図７に示すように雌ねじ部５ｃが形成されており、雌ねじ部５ｃに螺合部材６が螺合される。
【００１４】
ブラケット３には、図３に示すように本体部５ａを保持する一対の弾性爪３ｆと保持部３ｇが形成されている。弾性爪３ｆは、片持ち梁状の腕部３ｆ１と、腕部３ｆ１の先端に形成された凸部３ｆ２を一体に有している。腕部３ｆ１は、図３，５に示すようにブラケット３の厚み方向に弾性変形する構成になっている。凸部３ｆ２は、腕部３ｆ１の先端部から取付部材５側に突出しており、取付部材５の本体部５ａの側部に張出して、本体部５ａがブラケット３に対して回転することを規制する。
【００１５】
保持部３ｇは、図４，６に示すように一端部側から本体部５ａを受入れる構成になっている。そして保持部３ｇには、図３に示すように受入れた本体部５ａの裏面に張出す受面３ｇ１と、受入れた本体部５ａの側面に対向する壁部３ｇ２が一体に形成されている。したがって受面３ｇ１によって本体部５ａの脱落を防止する。そして壁部３ｇ２と弾性爪３ｆによって本体部５ａの回転を規制する。これら一対の弾性爪３ｆと保持部３ｇは、図６に示すように軸孔３ｄを中心とする点対称位置に設けられ、本体部５ａの四隅に位置している。
【００１６】
取付部材５をブラケット３に装着する場合は、先ず、図４，５に示すように軸部５ｂを軸孔３ｄに挿入し、本体部５ａをブラケット３の裏面に設置する。そして本体部５ａによって弾性爪３ｆを厚み方向に弾性変形させつつ、本体部５ａを軸部５ｂ周りに回転させる。
【００１７】
その結果、本体部５ａは、図６，７に示すように保持部３ｇに挿入され、保持部３ｇの受面３ｇ１の表側（図６の紙面奥側）に位置する。そして弾性爪３ｆが弾性戻りして、弾性爪３ｆの凸部３ｆ２が本体部５ａの側部に張出す。これにより本体部５ａは、保持部３ｇの受面３ｇ１によって脱落防止される。そして弾性爪３ｆの凸部３ｆ２と保持部３ｇの壁部３ｇ２によって回転規制される。
【００１８】
ミラーユニット４をバイザ本体２に取付ける場合は、図２に示すように先ず、ブラケット３をバイザ本体２の板体２ａに取付ける。次に、図１に示すようにミラーユニット４の一端部に形成された係止爪４ｄをブラケット３の掛止部３ｅに係止する。そして図８に示すようにミラーユニット４の他端部に形成された孔４ａ１に螺合部材６の軸部を挿通し、螺合部材６の軸部を取付部材５に螺合させる。これによりミラーユニット４は、螺合部材６の本体部と取付部材５の本体部５ａとによってブラケット３側に挟まれて取付けられる。
【００１９】
次に、図１，８に示すように一対のクッションゴム７をユニット本体４ａに取付け、一つのクッションゴム７によって螺合部材６を覆い隠す。なお図４，６に示すように螺合部材６を取付部材５に螺合させる際に生じるトルクは、保持部３ｇの壁部３ｇ２によって受け止められる。
【００２０】
以上のようにして実施の形態１が形成されている。すなわち図８に示すように取付部材５の本体部５ａと螺合部材６とによってミラーユニット４をブラケット３に挟んで取付ける構成になっている。したがってミラーユニット４は、取付部材５と螺合部材６によってブラケット３に取付けられる。そしてミラーユニット４は、ブラケット３の裏面に設置された取付部材５の本体部５ａによって、ブラケット３に対して脱落することが防止される。かくしてミラーユニット４がバイザ本体２に強く保持され得る。
【００２１】
またブラケット３には、図３に示すように弾性変形して取付部材５の本体部５ａをブラケット３の裏側に保持する弾性爪３ｆが形成されている。したがって取付部材５の本体部５ａは、弾性爪３ｆによってブラケット３に対して容易に取付けられ得る。
【００２２】
またブラケット３には、図３に示すように保持部３ｇと弾性爪３ｆが形成されている。そして図４〜６に示すように取付部材５の本体部５ａによって弾性爪３ｆをブラケット３の厚み方向に弾性変形させ、取付部材５を軸部５ｂ周りに回転させる。これによって本体部５ａが保持部３ｇの表側に挿入される。そして弾性爪３ｆが弾性戻りして本体部５ａの側部に張出して、弾性爪３ｆが本体部５ａの回転を防止する構成になっている。
【００２３】
したがって弾性爪３ｆは、厚み方向に弾性変形する。そして弾性爪３ｆは、弾性戻りして本体部５ａの側部に位置することで本体部５ａの回転を防止する。そのため弾性爪３ｆの弾性変形方向と、本体部５ａの回転防止方向は、ほぼ直交している。そのため本体部５ａの回転は、弾性爪３ｆの弾性変形によらずに弾性爪３ｆによって確実に防止され得る。しかも弾性爪３ｆの弾性率に関係なく、本体部５ａの回転を規制し得るために、弾性爪３ｆの弾性率を小さくすることが可能である。そのため弾性率を小さくすることで取付部材５のブラケット３への組付け荷重を軽減することもできる。
【００２４】
またブラケット３は、樹脂製であるため、金属製の従来のブラケットよりも軽量でかつ安価に構成され得る。
【００２５】
（実施の形態２）
実施の形態２は、実施の形態１とほぼ同様に形成されている。しかし実施の形態２のバイザ本体１０は、図９に示すようにシェルタイプである点で実施の形態１と相違している。すなわちバイザ本体１０は、厚み方向に二つの分割体１０ａ，１０ｂと、これらを覆う図示省略の表皮材を有している。そして分割体１０ａの一つにブラケット３が一体に成形されている。このブラケット３の裏側には、取付部材５が配設され、取付部材５の表側には、ミラーユニット４が配設される。取付部材５には、軸部５ｂが形成されており、軸部５ｂは、ブラケット３とミラーユニット４を貫通し、ミラーユニット４側から螺合部材６が螺合される。したがってミラーユニット４は、取付部材５の本体部５ａと螺合部材６とによってブラケット３側に挟まれて取付けられている。
【００２６】
（実施の形態３）
実施の形態３は、実施の形態１とほぼ同様に形成されている。しかし実施の形態３のブラケット３は、図４に示す弾性爪３ｆに代えて図１０に示す弾性爪３ｈを有しており、取付部材５は、位置決め部５ｄを有している。これら相違点を中心に実施の形態３を図１０〜１４にしたがって説明する。
【００２７】
弾性爪３ｈは、図１０に示すように片持ち梁状の腕部３ｈ１と、腕部３ｈ１の先端に形成された凸部３ｈ２を一体に有している。腕部３ｈ１は、図１２，１４に示すようにブラケット３の厚み方向に弾性変形する構成になっている。凸部３ｈ２は、腕部３ｈ１の先端部から取付部材５側に突出しており、取付部材５の本体部５ａの位置決め部５ｄに突入する。位置決め部５ｄは、本体部５ａに貫通孔状または凹状に形成されている。
【００２８】
取付部材５をブラケット３に装着する場合は、図１１，１２に示すように軸部５ｂを軸孔３ｄに挿入し、本体部５ａによって弾性爪３ｈを弾性変形させつつ、本体部５ａをブラケット３の裏面に設置する。そして本体部５ａを軸部５ｂ周りに回転させる。その結果、本体部５ａが図１３，１４に示すように保持部３ｇに入り込み、取付部材５がブラケット３に対して脱落防止される。そして弾性爪３ｈが弾性戻りして、凸部３ｈ２が位置決め部５ｄに突入する。これにより本体部５ａがブラケット３に対して位置決めされ、回転規制される。
【００２９】
（他の実施の形態）
本発明は、実施の形態１〜３に限定されず、以下の形態等であっても良い。
（１）例えば、実施の形態１，２に記載の取付部材５は、軸部５ｂに雌ねじ部５ｃを有し、雄ねじ部５ｃに螺合部材（ねじ）６が螺合されていた。しかし軸部に雄ねじ部（ねじ部）を有し、その雄ねじ部にナットである螺合部材が螺合され、その螺合部材と取付部材の本体部とによってミラーユニットをブラケットに挟んで取付けた形態等であっても良い。
（２）実施の形態１〜３に記載のブラケットには、アクセサリーとしてミラーユニット４が取付けられていた。しかしアクセサリーとしてランプユニットやカードホルダーやＧＤＯ（garage door opener）あるいはミラー単体などが取付けられている形態であっても良い。
（３）実施の形態１〜３に記載のブラケット３は、厚み方向に弾性変形する弾性爪３ｆ，３ｈを有していた。しかし他の方向に弾性変形する弾性爪を有しており、その弾性爪によって取付部材５の本体部５ａを保持する形態等であっても良い。
（４）実施の形態１，２に記載の取付部材５は、本体部５ａと軸部５ｂを有していた。しかし取付部材が軸部を有さず、ブラケットの裏面に配設される本体部のみを有している形態であって、螺合部材側に軸部が形成され、軸部がブラケットの表側に配設されたアクセサリーとブラケットが貫通する。そして軸部には、取付部材に螺合されるねじ部が形成されている形態であっても良い。そして取付部材と螺合部材によってアクセサリーをブラケットに挟んで取付ける形態であっても良い。これによりアクセサリーは、取付部材と螺合部材によってブラケットに取付けられる。そしてアクセサリーは、ブラケットの裏面に設置された取付部材によって、ブラケットに対して脱落することが防止される。かくしてアクセサリーがバイザ本体に強く保持され得る。
（５）上記（４）の形態に加えて、弾性変形して取付部材を保持する弾性爪がブラケットに形成されている形態であっても良い。
（６）実施の形態１，２に記載のブラケット３には、二つの爪３ｆが形成されていた。しかしブラケット３に、少なくとも一つの爪３ｆが形成されている形態であっても良い。
【図面の簡単な説明】
【００３０】
【図１】車両用サンバイザの斜視図である。
【図２】バイザ本体とブラケットの正面図である。
【図３】ブラケットの一部と取付部材の裏側からの斜視図である。
【図４】ブラケットに取付部材を取付ける様子を示すブラケットの一部と取付部材の裏面図である。
【図５】図４のV―V線断面矢視図である。
【図６】ブラケットの一部と取付部材の裏面図である。
【図７】図６のVII―VII線断面矢視図である。
【図８】図１のVIII―VIII線断面矢視図である。
【図９】図８に相当する実施の形態２に係る車両用サンバイザの断面図である。
【図１０】実施の形態３に係るブラケットの一部と取付部材の裏面図である。
【図１１】ブラケットに取付部材を取付ける様子を示す実施の形態３に係るブラケットの一部と取付部材の裏面図である。
【図１２】図１１のXII―XII線断面矢視図である。
【図１３】実施の形態３に係るブラケットの一部と取付部材の裏面図である。
【図１４】図１３のXIV―XIV線断面矢視図である。
【符号の説明】
【００３１】
１・・・車両用サンバイザ
２，１０・・・バイザ本体
３・・・ブラケット
３ｆ，３ｈ・・・弾性爪
３ｇ・・・保持部
４・・・ミラーユニット（アクセサリー）
４ａ   ユニット本体
５・・・取付部材
５ａ・・・本体部
５ｂ・・・軸部
５ｃ・・・雌ねじ部（ねじ部）
６・・・螺合部材
【図１】
2008284906.tif 000003
【図２】
2008284906.tif 000004
【図３】
2008284906.tif 000005
【図４】
2008284906.tif 000006
【図５】
2008284906.tif 000007
【図６】
2008284906.tif 000008
【図７】
2008284906.tif 000009
【図８】
2008284906.tif 000010
【図９】
2008284906.tif 000011
【図１０】
2008284906.tif 000012
【図１１】
2008284906.tif 000013
【図１２】
2008284906.tif 000014
【図１３】
2008284906.tif 000015
【図１４】
2008284906.tif 000016